(57)【特許請求の範囲】
【請求項１】
システム時計で計測される編成時刻を基準に、デジタル放送においてリアルタイム性が要求されるサービス情報データを多重化部にて映像データ及び音声データと多重化し、デジタル放送信号として送出するデジタル放送信号送出システムにおいて、
前記サービス情報データを作成し、蓄積するサービス情報制作装置と、
このサービス情報制作装置に蓄積されたサービス情報データが字幕であるか否かを解析し、この解析結果と別途提供される放送スケジュールデータとを比較照合することで前記サービス情報データが前記編成時刻に従って前記多重化部で多重される映像データ及び音声データと関連するものであるか否かを判断し、関連するものである場合に、前記サービス情報データを前記システム時計で計測される編成時刻に合わせて前記デジタル放送信号のフォーマットに変換して前記多重化部に出力するサービス情報処理装置とを具備し、
前記サービス情報処理装置は、前記多重化部で多重化すべき映像同期信号及びブラックバースト信号を入力する映像同期入力手段を有し、前記システム時計で計測される編成時刻に合わせて前記サービス情報データを前記トランスポートストリームのフォーマットに変換するとともに、映像同期信号及びブラックバースト信号に基づいてフォーマット変換されたサービス情報データを前記多重化部に出力することを特徴とするデジタル放送信号送出システム。
【請求項２】
前記デジタル放送信号はＭＰＥＧ２符号化方式で規定されるフォーマットで生成されるトランスポートストリームであり、前記サービス情報処理装置は前記サービス情報制作装置に蓄積されたサービス情報データを、前記システム時計で計測される編成時刻に合わせて前記トランスポートストリームのフォーマットに変換し、映像同期信号及びブラックバースト信号に基づいてフォーマット変換されたサービス情報データを前記多重化部に出力することを特徴とする請求項１記載のデジタル放送信号送出システム。
【請求項３】
システム時計で計測される編成時刻を基準に、デジタル放送においてリアルタイム性が要求されるサービス情報データを多重化部にて映像データ及び音声データと多重化し、デジタル放送信号として送出するデジタル放送信号送出システムで使用されるサービス情報処理装置において、
前記システム時計で計測される編成時刻データを入力する編成時刻入力機能を有する第１のインタフェース部と、
前記サービス情報データを入力するサービス情報入力機能を有する第２のインタフェース部と、
前記第２のインタフェース部により入力されたサービス情報データを格納する記憶部と、
前記記憶部に記憶された前記サービス情報データを出力するサービス情報出力機能を有する第３のインタフェース部と、
映像同期信号及びブラックバースト信号を入力する第４のインタフェース部と、
前記記憶部に格納された前記サービス情報データが字幕であるか否かを解析し、この解析結果から前記サービス情報データが前記編成時刻に従って前記多重化部で多重される映像データ及び音声データと関連するものであるか否かを判断し、関連するものである場合に、前記第１のインタフェース部により入力される編成時刻データに基づいて、前記サービス情報データを前記デジタル放送信号で規定されるフォーマットに変換して前記第３のインタフェース部に転送し、前記映像同期信号及びブラックバースト信号に基づいて前記第３のインタフェース部を制御してフォーマット変換された前記サービス情報データを前記多重化部に出力させる演算処理部とを具備してなることを特徴とするサービス情報処理装置。
【請求項４】
前記デジタル放送信号がＭＰＥＧ２符号化方式で規定されるフォーマットで生成されたトランスポートストリームである場合に、前記演算処理部は、前記記憶部に格納された前記サービス情報データの内容を解析し、この解析結果から前記サービス情報データが前記多重化部で多重される映像データ及び音声データと関連するものであるか否かを判断し、関連するものである場合に、前記第１のインタフェース部により入力される編成時刻データに基づいて、前記サービス情報データをトランスポートストリームのフォーマットに変換して前記第３のインタフェース部に転送することを特徴とする請求項３記載のサービス情報処理装置。
【発明の詳細な説明】
【０００１】
【発明の属する技術分野】
この発明は、局内時計で計測される編成時刻を基準に、デジタル放送においてリアルタイム性が要求されるサービス情報データを映像データ及び音声データと多重化し、デジタル放送信号として送出するデジタル放送信号送出システム及びそのサービス情報処理装置に関する。
【０００２】
【従来の技術】
近年、ＢＳ（broadcasting satellite）デジタル放送、地上波デジタル放送の実用化が進められている。これらのデジタル放送においては、ＭＰＥＧ２（Moving Picture Experts Group 2）符号化方式により符号化されたビットストリームの切り替え、同期化、多重化などの信号処理を施す放送送出設備が必要不可欠となっている。
【０００３】
ところで、上記デジタル放送では、多重化装置において、番組を構成する映像データ及び音声データの他に、番組に関する情報を示すＰＳＩ（Program Service Information）／ＳＩ（Service Information）等の情報データや字幕等の映像や音声に関連するサービス情報データの多重化が行われることになる。しかし、この多重化装置で取り扱うサービス情報データは、映像データや音声データに比して低い伝送レートであるので、多重化装置においては、サービス情報データと映像データ及び音声データとの同期処理やサービス情報データのフォーマット変換処理といった信頼性を高めるための複雑な処理が要求されることになる。
【０００４】
従って、このような複雑な処理を多重化装置に実行させることは、処理負担が大きくなるとともに、デジタル放送信号の送出処理のリアルタイム性を図る上で大きな障害となる。特に、リアルタイム性が要求される字幕等のサービス情報データを編成時刻通りに送出するのには、大変不利となる。
【０００５】
一方、上記送出処理における対策としては、サービス情報データを多重化装置で多重化する前に汎用のパーソナル・コンピュータで映像・音声との同期処理及びフォーマット変換処理を行なうことが望ましいと考えられている。この場合、パーソナル・コンピュータに専用のＴＳ（トランスポートストリーム）出力インタフェースボードを実装するようにしている。しかし、このような対策でも、サービス情報データを編成時刻通りに送出するためにパーソナル・コンピュータとは別に局内時計との同期インタフェースユニットを用意しておく必要があり、複雑な構成となるばかりでなく経済的負担も大きくなる。
【０００６】
【発明が解決しようとする課題】
以上のように、上記デジタル放送信号送出システムにあっては、リアルタイム性が要求されるサービス情報データを編成時刻に合わせて映像データ及び音声データとともにリアルタイムで送出できるような有効な手段がなかった。
【０００７】
この発明の目的は、簡単な構成で、デジタル放送の映像データ及び音声データとは伝送レートの異なるサービス情報データの送出処理を編成時刻に合わせてリアルタイムで行なうことが可能なデジタル放送信号送出システム及びそのサービス情報処理装置を提供することにある。
【０００８】
【課題を解決するための手段】
この発明に係るデジタル放送信号送出システムは、システム時計で計測される編成時刻を基準に、デジタル放送においてリアルタイム性が要求されるサービス情報データを映像データ及び音声データと多重化し、デジタル放送信号として送出するデジタル放送信号送出システムにおいて、サービス情報データを作成し、蓄積するサービス情報制作装置と、このサービス情報制作装置に蓄積されたサービス情報データの内容解析を行ない、この解析結果に基づいてサービス情報データをシステム時計で計測される編成時刻に合わせてデジタル放送信号のフォーマットに変換するサービス情報処理装置と、このサービス情報処理装置から出力されるサービス情報データを映像データ及び音声データとともに多重化して、デジタル放送信号に生成する多重化装置とを備えるようにしたものである。
【０００９】
特に、デジタル放送信号がＭＰＥＧ２符号化方式で規定されるフォーマットで生成されるトランスポートストリームである場合に、サービス情報処理装置はサービス情報制作装置に蓄積されたサービス情報データを、システム時計で計測される編成時刻に合わせてトランスポートストリームのフォーマットに変換して前記多重化装置に出力することを特徴とする。
【００１０】
従って、この発明によれば、サービス情報制作装置で制作される字幕等のリアルタイム性が要求されるサービス情報データが、サービス情報処理装置にてその内容が解析され、この解析結果からサービス情報データが番組編成時刻に従って多重化装置により多重される映像データ及び音声データと関連するものであるか否かが判断され、関連するものである場合に、そのサービス情報データがシステム時計で計測される編成時刻に合わせてトランスポートストリームのフォーマットに変換されて多重化装置に送出される。すなわち、本来多重化装置で実行すべき機能の一部をサービス情報処理装置に担わせることが可能となる。
【００１１】
このため、多重化装置の処理負担を大きくすることなく、リアルタイム性が要求されるサービス情報データの送出処理及び映像・音声との同期処理にも十分に対応できるので、システム全体としてはサービス情報データのリアルタイム送出処理において信頼性が高く、しかも簡単な構成で安価に実現することができる。
【００１２】
また、この発明では、サービス情報処理装置は、多重化装置で多重化すべき映像データの同期信号及びブラックバースト信号を入力する映像同期入力手段を有し、システム時計で計測される編成時刻に合わせるとともに、この同期信号及びブラックバースト信号に基づいてサービス情報データをトランスポートストリームのフォーマットに変換して多重化装置に出力することを特徴とするので、サービス情報データを映像のフレーム単位で同期させることが可能となる。
【００１３】
一方、この発明は、システム時計で計測される編成時刻を基準に、デジタル放送においてリアルタイム性が要求されるサービス情報データを映像データ及び音声データと多重化し、デジタル放送信号として送出するデジタル放送信号送出システムで使用されるサービス情報処理装置において、システム時計で計測される編成時刻データを入力する編成時刻入力機能を有する第１のインタフェース部と、サービス情報データを入力するサービス情報入力機能を有する第２のインタフェース部と、第２のインタフェース部により入力されたサービス情報データを格納する記憶部と、記憶部に記憶されたサービス情報データを出力するサービス情報出力機能を有する第３のインタフェース部と、記憶部に格納されたサービス情報データの内容を解析し、この解析結果と第１のインタフェース部により入力される編成時刻データとに基づいて、サービス情報データをデジタル放送信号で規定されるフォーマットに変換して第３のインタフェース部に転送する演算処理部とを備えるようにしたことも特徴とする。
【００１４】
特に、デジタル放送信号がＭＰＥＧ２符号化方式で規定されるフォーマットで生成されたトランスポートストリームである場合に、演算処理部は、記憶部に格納されたサービス情報データの内容を解析し、この解析結果と第１のインタフェース部により入力される編成時刻データとに基づいて、サービス情報データをトランスポートストリームのフォーマットに変換して第３のインタフェース部に転送するようにしている。
【００１５】
すなわちこの発明は、サービス情報処理装置内にシステム時計接続用インタフェース、サービス情報制作装置接続用インタフェース及び多重化装置接続用インタフェースを内蔵し、かつ各インタフェースにはそれぞれ対応する編成時刻データ入力機能、サービス情報データ入力機能及びサービス情報データ出力機能のみを設け、しかも各インタフェースに備えられているフォーマット変換機能を、サービス情報処理装置に既に備えられている演算処理部により共用するようにし、接続可能とするサービス情報制作装置、システム時計及び多重化装置にそれぞれ対応するフォーマット変換ソフトを演算処理部に予め記憶しておくようにしたものである。
【００１６】
従ってこの発明によれば、サービス情報処理装置とは別に専用インタフェースを設置する必要がなくなり、しかも本発明のインタフェース部はサービス情報処理装置内に内蔵しただけでなく、フォーマット変換機能がサービス情報処理装置内に既に設けられている演算処理部によって代用されるので、信頼度が高いサービス情報データのリアルタイム送出処理を実現でき、比較的小型でかつ安価なシステムを提供することができる。
【００１７】
また、この発明は、さらに、映像信号の同期信号及びブラックバースト信号を入力する第４のインタフェース部を備え、演算処理部は、第１のインタフェース部により入力される編成時刻データに基づいて、記憶部に記憶されたサービス情報データをトランスポートストリームのフォーマットに変換して前記第３のインタフェース部に転送し、映像信号の同期信号及びブラックバースト信号に基づいて前記第３のインタフェース部を制御して前記サービス情報データを出力させることを特徴としている。このようにすることにより、映像信号の同期信号及びブラックバースト信号の処理をサービス情報処理装置内に備えられている演算処理部で行なうことが可能となる。この結果、サービス情報データを編成時刻に合わせてトランポートストリームのフォーマットに変換できるとともに、映像のフレーム単位に同期させて多重化装置に転送することができるので、より信頼性の高いサービス情報データのリアルタイム送出処理を実現できる。
【００１８】
【発明の実施の形態】
以下、この発明の実施形態について図面を参照して詳細に説明する。
【００１９】
図１は、この発明に係わるデジタル放送信号送出システムの一実施形態の構成を示すブロック構成図である。この図１のシステムは、エンコーダ（ＥＮＣ）１１，１２と、マルチプレクサ（ＭＵＸ）１３と、符号化多重制御装置（ＥＭＣ）１４と、ワークステーション（ＥＷＳ）１５と、サービス情報処理装置１６とを備え、それぞれ局内時計１７で計測される編成時刻を基準に動作を行なっている。
【００２０】
エンコーダ１１は、映像信号をＭＰＥＧ２符号化方式で圧縮符号化してビットストリームを生成し、マルチプレクサ１３に出力する。エンコーダ１２は、音声信号をＭＰＥＧ２符号化方式で圧縮符号化してビットストリームを生成し、マルチプレクサ１３に出力する。マルチプレクサ１３は、各エンコーダ１１，１２の出力と、符号化多重制御装置１４から出力されるＰＳＩ／ＳＩデータと、サービス情報処理装置１６から出力されるサービス情報データとを多重化し、トランスポートストリームとして送出する。なお、符号化多重制御装置１４は、別途提供される切替制御情報に基づいてエンコーダ１１，１２及びマルチプレクサ１３を制御する。
【００２１】
ところで、マルチプレクサ１３で取り扱うサービス情報データは、ワークステーション１５により制作され蓄積される。このワークステーション１５に蓄積されたサービス情報データは、サービス情報処理装置１６で内容解析され、この解析結果に基づき局内時計１７で計測される編成時刻に合わせてトランスポートストリームのフォーマットに変換されてマルチプレクサ１３に出力される。なお、サービス情報処理装置１６と局内時計１７との間及び各エンコーダ１１，１２、マルチプレクサ１３、符号化多重制御装置１４と局内時計１７との間は、リアルタイム性が要求される信号を送出するためのＳＥＣＮＥＴ（スタジオ・イクイプメント・コントロール・ネットワーク）と呼ばれるネットワークにより接続されている。
【００２２】
図２は、上記サービス情報処理装置１６の構成を示す回路ブロック図である。
【００２３】
サービス情報処理装置１６は、データバス１６１上に、局内時計入力インタフェース部１６２と、シリアル入力インタフェース部（ＲＳ２３２Ｃ／４２２）１６３と、ＲＡＭ１６４と、ＴＳ（トランスポートストリーム）出力インタフェース部１６５と、ＣＰＵ１６６と、ＲＯＭ１６７と、映像同期入力インタフェース部１６８とを接続している。
【００２４】
局内時計入力インタフェース部１６２は、局内時計１７で計測される編成時刻データを入力する編成時刻入力機能を備えている。シリアル入力インタフェース部１６３は、ワークステーション１５からシリアルなサービス情報データを取り込む機能を有し、取り込んだサービス情報データをＲＡＭ１６４の決められたメモリ領域に転送し、その転送終了後にＲＡＭ１６４上のサービス情報データの存在領域をＣＰＵ１６６に通知する。
【００２５】
ＴＳ出力インタフェース部１６５は、ＲＡＭ１６４に記憶されたサービス情報データをマルチプレクサ１３に出力する機能を有する。映像同期入力インタフェース部１６８は、映像同期信号及びブラックバースト信号を入力する機能を有している。
【００２６】
ＣＰＵ１６６は、ＲＯＭ１６７に記憶されたプログラムや各種制御データに基づいて処理を行なうもので、シリアル入力インタフェース部１６３からの通知に基づいて、ＲＡＭ１６４からサービス情報データを取り込み、そのサービス情報データの内容解析処理を行なう。そして、この内容解析結果と別途提供される放送スケジュールデータとを比較照合し、さらに局内時計入力インタフェース部１６２により入力された編成時刻データとを比較照合して、その比較照合結果から番組編成時刻になった時点で、該当するサービス情報データをトランスポートストリームのフォーマットに変換してＴＳ出力インタフェース部１６５に転送する。転送後、映像同期入力インタフェース部１６８で入力される映像同期信号及びブラックバースト信号に基づいて、サービス情報データを出力するように、ＴＳ出力インタフェース部１６５を制御する。
【００２７】
すなわち、上記構成によるサービス情報処理装置１６において、ワークステーション１５に蓄積された字幕等のリアルタイム性が要求されるサービス情報データは、シリアル入力インタフェース部１６３によって、ＲＡＭ１６４の決められた領域に転送される。シリアル入力インタフェース部１６３は、サービス情報データの転送が終了すると、サービス情報データの存在領域をＣＰＵ１６６に通知する。ＣＰＵ１６６は、サービス情報データの内容解析を行ない、この解析結果からサービス情報データが編成時刻に従ってマルチプレクサ１３により多重される映像データ及び音声データと関連するものであるか否かを判断し、関連するものである場合に、そのサービス情報データを局内時計１７で計測される編成時刻に合わせてトランスポートストリームのフォーマットに変換してＴＳ出力インタフェース部１６５に転送する。
【００２８】
以後、ＣＰＵ１６６は、映像同期入力インタフェース部１６８に入力される映像同期信号及びブラックバースト信号に合わせてサービス情報データを出力するようにＴＳ出力インタフェース部１６５を制御してサービス情報データをマルチプレクサ１３に送出させる。
【００２９】
また、上記構成におけるサービス情報処理装置１６は、映像データ及び音声データとの同期処理及びフォーマット変換処理といったマルチプレクサ１３で実行すべき機能の一部を担うようにしているので、システムのコストアップを抑えた上で、リアルタイム性が要求されるサービス情報データの送出処理及び映像・音声との同期処理にも十分に対応可能となる。
【００３０】
さらに、上記サービス情報処理装置１６は、局内時計入力インタフェース部１６２、シリアル入力インタフェース部１６３、ＴＳ出力インタフェース部１６５及び映像同期入力インタフェース部１６８を内蔵し、かつ各インタフェース部１６２，１６３ａ，１６５にはそれぞれ対応する編成時刻データ入力機能、サービス情報データ入力機能、サービス情報データ出力機能及び映像同期信号入力機能のみを設け、しかも各インタフェース部１６２，１６３，１６５，１６８に備えられているフォーマット変換機能を、ＣＰＵ１６６により代用するようにし、接続可能とするワークステーション１５、局内時計１７及びＭＵＸ１３にそれぞれ対応するフォーマット変換ソフトをＲＯＭ１６７に予め記憶しておくように構成されていることにより、簡単な構成で小形な装置となる。
【００３１】
以上述べたように上記実施形態では、ワークステーション１５で制作される字幕等のリアルタイム性が要求されるサービス情報データが、サービス情報処理装置１６にてその内容が解析され、この解析結果からサービス情報データが編成時刻に従ってマルチプレクサ１３により多重される映像データ及び音声データと関連するものであるか否かが判断され、関連するものである場合に、そのサービス情報データが局内時計１７で計測される編成時刻に合わせてトランスポートストリームのフォーマットに変換されてマルチプレクサ１３に送出される。すなわち、本来マルチプレクサ１３で実行すべき機能の一部をサービス情報処理装置１６に担わせることが可能となる。
【００３２】
このため、マルチプレクサ１３の処理負担を大きくすることなく、リアルタイム性が要求されるサービス情報データの送出処理及び映像・音声との同期処理にも十分に対応できるので、システム全体としてはサービス情報データのリアルタイム送出処理において信頼度が高く、しかも簡単な構成で安価に実現することができる。
【００３３】
また、サービス情報処理装置１６は、マルチプレクサ１３で多重化すべき映像データの映像同期信号及びブラックバースト信号を入力する映像同期入力インタフェース部１６８を内蔵し、ＣＰＵ１６６は、局内時計１７で計測される編成時刻に合わせるとともに、サービス情報データをトランスポートストリームのフォーマットに変換するとともに、映像同期信号及びブラックバースト信号に合わせてサービス情報データをマルチプレクサ１３に出力するようにしているので、サービス情報データを映像のフレーム単位で同期させることが可能となる。従って、映像データ及び音声データにリンクしたリアルタイムなサービス情報データの送出が可能となる。
【００３４】
さらに、サービス情報処理装置１６は、局内時計入力インタフェース部１６２、シリアル入力インタフェース部１６３、ＴＳ出力インタフェース部１６５及び映像同期入力インタフェース部１６８を内蔵し、かつ各インタフェース部１６２，１６３ａ，１６５にはそれぞれ対応する編成時刻データ入力機能、サービス情報データ入力機能、サービス情報データ出力機能及び映像同期信号入力機能のみを設け、しかも各インタフェース部１６２，１６３，１６５，１６８に備えられているフォーマット変換機能を、既に備えられているＣＰＵ１６６によって代用するようにしている。なお、ＣＰＵ１６６が使用するＲＯＭ１６７には、接続可能とするワークステーション１５、局内時計１７及びＭＵＸ１３にそれぞれ対応するフォーマット変換ソフトを記憶しておくようにしている。
【００３５】
従って、局内時計専用のインタフェースユニットを別途用意する必要がなくなり、しかも局内時計入力インタフェース部１６２、シリアル入力インタフェース部１６３、ＴＳ出力インタフェース部１６５及び映像同期入力インタフェース部１６８をただ単にサービス情報処理装置１６内に内蔵したのではなく、各インタフェース部１６２，１６３，１６５，１６８に必要な機能のうちフォーマット変換機能をサービス情報処理装置１６内に既に備えられているＣＰＵ１６６により代用するようにしたことによって、デジタル放送信号送出システムとしてサービス情報処理装置１６を比較的簡単かつ小形に構成して、信頼度が高いサービス情報データのリアルタイム送出処理を実現することができるようになる。
【００３６】
なお、上記実施形態では、マルチプレクサ１３でＭＰＥＧ２規定のフォーマットで生成されるトランスポートストリームを送出する例について説明したが、その他のデジタル放送信号を送出するようにしてもよい。
【００３７】
その他、サービス情報処理装置の構成等においても、この発明の要旨を逸脱しない範囲で種々変形して実施可能である。
【００３８】
【発明の効果】
以上詳述したようにこの発明によれば、簡単な構成で、デジタル放送の映像データ及び音声データとは伝送レートの異なるサービス情報データの送出処理を編成時刻に合わせてリアルタイムで行なうことが可能なデジタル放送信号送出システム及びそのサービス情報処理装置を提供することができる。
【図面の簡単な説明】
【図１】この発明に係わるデジタル放送信号送出システムの一実施形態の構成を示すブロック構成図。
【図２】上記図１に示したサービス情報処理装置の構成の一例を示す回路ブロック図。
【符号の説明】
１１，１２…エンコーダ（ＥＮＣ）、
１３…マルチプレクサ（ＭＵＸ）、
１４…符号化多重制御装置（ＥＭＣ）、
１５…ワークステーション（ＥＷＳ）、
１６…サービス情報処理装置、
１７…局内時計、
１６１…データバス、
１６２…局内時計入力インタフェース部、
１６３…シリアル入力インタフェース部、
１６４…ＲＡＭ、
１６５…ＴＳ出力インタフェース部、
１６６…ＣＰＵ、
１６７…ＲＯＭ、
１６８…映像同期入力インタフェース部。
【図１】
0004550210.tif 000002
【図２】
0004550210.tif 000003